(57)【特許請求の範囲】
【請求項１】
フロントピラーを覆うフロントピラートリムの下端部とインストルメントパネルとの合わせ部の構造において、前記フロントピラートリムの下端部に片部を設ける一方、前記インストルメントパネルの車幅方向の側面に側壁を設け、前記片部により前記側壁に対して車両室外側に向かう付勢力が加わるように、前記片部を前記側壁の室内側の面に当接させるとともに、前記インストルメントパネルの側部には水平方向に突出する座部が設けられている一方、前記フロントピラートリムの下部には前記座部の車体前後方向後端に形成した座部後端面に当接して、前記フロントピラートリムの車体前方向への動きを止める当接面を設けたことを特徴とするフロントピラートリムとインストルメントパネルとの合わせ部構造。
【請求項２】
前記フロントピラートリムの当接面は、車体の右又は左方向に張り出して形成されていることを特徴とする請求項１に記載のフロントピラートリムとインストルメントパネルとの合わせ部構造。
【請求項３】
前記フロントピラートリムの当接面には、該当接面の下端から車体前方側に前下がりとなる傾斜面が設けられていることを特徴とする請求項１または２のいずれかに記載のフロントピラートリムとインストルメントパネルとの合わせ部構造。
【請求項４】
フロントピラーを覆うフロントピラートリムの下端部とインストルメントパネルとの合わせ部の構造において、前記フロントピラートリムの下端部の角部に室内側に湾曲する片部を設ける一方、前記インストルメントパネルの車幅方向の側面に側壁を設け、前記片部の先端を前記側壁の室内側の面に当接させ、前記片部が前記インストルメントパネルの側壁の内壁に突っ張ることにより、前記側壁に対して車両室外側に向かう付勢力が加わるようにするとともに、前記フロントピラートリムは前記側壁により室内側に押され、前記インストルメントパネルと前記フロントピラートリムの室内側の距離が近づくようにしたことを特徴とするフロントピラートリムとインストルメントパネルとの合わせ部構造。
【請求項５】
前記片部からの付勢力を受ける側壁の車両室外側には、車体のドア開口部のフランジに嵌め込まれたオープニングトリムのリップが配置されていることを特徴とする請求項４に記載のフロントピラートリムとインストルメントパネルとの合わせ部構造。
【請求項６】
前記片部は、前記フロントピラートリムの下端部の車両前後方向における後側部位に設けられていることを特徴とする請求項４または５のいずれかに記載のフロントピラートリムとインストルメントパネルとの合わせ部構造。
【発明の詳細な説明】
【技術分野】
【０００１】
本発明は、車両のフロントピラーを覆う内装材であるフロントピラートリムとインストルメントパネルとの合わせ部構造に関する。
【背景技術】
【０００２】
一般に、自動車のインストルメントパネルの車幅方向側端部とフロントピラートリムとの合わせ部には隙間が形成されやすく、このような隙間が形成された場合には外観上の美観を損なうことから、該合わせ部における隙間の発生を防止する技術として、特許文献１、特許文献２等が提供されている。
【０００３】
特許文献１では、インストルメントパネルの側端部に弾性を有するばね部材が取付けられており、該ばね部材より付勢力を加えてフロントピラートリムに当接させ、インストルメントパネルの側端部とフロントピラートリムとの合わせ部における、隙間の発生を防止している。
また、特許文献２では、フロントピラートリムの下端のフランジにリブ等のラップ形状部が設けられ、該ラップ形状部をインストルメントパネルの側端部に設けたスリットに通して、インストルメントパネルの内側に弾接することにより、隙間の発生を防止している。
【特許文献１】特許第２８８１０５６号公報
【特許文献２】実開平５−３４０５５号公報
【発明の開示】
【発明が解決しようとする課題】
【０００４】
しかしながら、上記特許文献１の技術は、インストルメントパネルの側端部に弾性を有するばね部材を取付け、該ばね部材より付勢力を加えてフロントピラートリムに当接させる構成であるため、インストルメントパネルおよびフロントピラートリムとは別個にばね部材が必要となる上、該ばね部材をインストルメントパネルの側端部に取付けなければならない。したがって、部品点数が多くなるとともに、ばね部材を組付けるための組付け工数が増加するという問題を有していた。
【０００５】
また、上記特許文献２の技術は、フロントピラートリムの下端のフランジにリブ等のラップ形状部を設け、これをインストルメントパネルの側端部に設けたスリットに通してインストルメントパネルの内側に弾接する構成であるため、フランジに設けたラップ部分をインストルメントパネルのスリットに通す作業が必要となる。かかる組付け作業は煩雑である上、組付け工数も増加するという不具合があった。
しかも、インストルメントパネルは、ステアリングメンバーを中心に回転する方向へ付勢しやすいために、車両前後方向において生じる隙間の大きさが異なる場合があるが、かかる技術ではこのような前後方向での隙間の寸法の違いに対応することは困難であった。
【０００６】
本発明はこのような実状に鑑みてなされたものであって、その目的は、格別な部材を追設することなく簡単な組付け手段で、インストルメントパネルとフロントピラートリムとの合わせ部に発生する隙間の形成を回避し、車両室内の外観の向上を図ることが可能なフロントピラートリムとインストルメントパネルとの合わせ部構造を提供することにある。
【課題を解決するための手段】
【０００７】
上記従来技術の有する課題を解決するために、本発明は、フロントピラーを覆うフロントピラートリムの下端部とインストルメントパネルとの合わせ部の構造において、前記フロントピラートリムの下端部に片部を設ける一方、前記インストルメントパネルの車幅方向の側面に側壁を設け、前記片部により前記側壁に対して車両室外側に向かう付勢力が加わるように、前記片部を前記側壁の室内側の面に当接させるとともに、前記インストルメントパネルの側部には水平方向に突出する座部が設けられている一方、前記フロントピラートリムの下部には前記座部の車体前後方向後端に形成した座部後端面に当接して、前記フロントピラートリムの車体前方向への動きを止める当接面を設けている。
【０００８】
本発明において、前記フロントピラートリムの当接面は、車体の右又は左方向に張り出して形成されている。
また、本発明において、前記フロントピラートリムの当接面には、該当接面の下端から車体前方側に前下がりとなる傾斜面が設けられている。
【０００９】
そして、本発明は、フロントピラーを覆うフロントピラートリムの下端部とインストルメントパネルとの合わせ部の構造において、前記フロントピラートリムの下端部の角部に室内側に湾曲する片部を設ける一方、前記インストルメントパネルの車幅方向の側面に側壁を設け、前記片部の先端を前記側壁の室内側の面に当接させ、前記片部が前記インストルメントパネルの側壁の内壁に突っ張ることにより、前記側壁に対して車両室外側に向かう付勢力が加わるようにするとともに、前記フロントピラートリムは前記側壁により室内側に押され、前記インストルメントパネルと前記フロントピラートリムの室内側の距離が近づくようにしている。
【００１０】
また、本発明において、前記片部からの付勢力を受ける側壁の車両室外側には、車体のドア開口部のフランジに嵌め込まれたオープニングトリムのリップが配置されている。
さらに、本発明において、前記片部は、前記フロントピラートリムの下端部の車両前後方向における後側部位に設けられている。
【発明の効果】
【００１２】
上述の如く、本発明に係るフロントピラートリムとインストルメントパネルとの合わせ部構造は、前記フロントピラートリムの下端部に片部を設ける一方、前記インストルメントパネルの車幅方向の側面に側壁を設け、前記片部により前記側壁に対して車両室外側に向かう付勢力が加わるように、前記片部を前記側壁の室内側の面に当接させるとともに、前記インストルメントパネルの側部には水平方向に突出する座部が設けられている一方、前記フロントピラートリムの下部には前記座部の車体前後方向後端に形成した座部後端面に当接して、前記フロントピラートリムの車体前方向への動きを止める当接面を設けているので、片部がインストルメントパネルの側壁の内壁に突っ張ることで、インストルメントパネルに比べて柔軟なフロントピラートリムが車室内側に押されて、インストルメントパネルとフロントピラートリムの室内側の距離が近付くことになり、インストルメントパネルの側端縁とフロントピラートリムとの見切り線において両者が密着し、インストルメントパネルとフロントピラートリムとの合わせ部に隙間が発生するのを防止できる。しかも、本発明によれば、インストルメントパネルに対するフロントピラートリムの車体前後方向の位置が規制されることになり、オープニングトリムに押されるフロントピラートリムの車体前方向への動きを止めて、車両後方側に位置する合わせ部の隙間の発生を防止することができる。
【００１３】
また、この発明によれば、従来技術のようなスリット等の嵌合形状が設けられない場合でも、インストルメントパネル側に複雑な形状の嵌合部を設けることなく、インストルメントパネルとフロントピラートリムとの合わせ部の隙間の形成を回避することができる。
さらに、この発明によれば、型割りラインを変えることなく、片部の先端の干渉量をコア型の削りで高さを上げることが可能となるため、合わせの調整も容易に行うことができる。
【００１４】
そして、本発明によれば、前記フロントピラートリムの当接面は、車体の右又は左方向に張り出して形成されているので、インストルメントパネル側部から水平方向に突出する座部に当接面を広い面で確実に当てることができる。
【００１５】
また、本発明によれば、前記フロントピラートリムの当接面には、該当接面の下端から車体前方側に前下がりとなる傾斜面が設けられているので、インストルメントパネルが車体下方向に下がったとき、車体前方側に前下がりとなる傾斜面により、インストルメントパネルの回転具合に合わせて傾斜面のいずれかの範囲を、インストルメントパネル側部から水平方向に突出する座部に当接させることができ、フロントピラートリムがインストルメントパネルの回転に連動する形となって、合わせの隙間の発生を回避できる。
【００１６】
さらに、本発明に係るフロントピラートリムとインストルメントパネルとの合わせ部構造は、前記フロントピラートリムの下端部の角部に室内側に湾曲する片部を設ける一方、前記インストルメントパネルの車幅方向の側面に側壁を設け、前記片部の先端を前記側壁の室内側の面に当接させ、前記片部が前記インストルメントパネルの側壁の内壁に突っ張ることにより、前記側壁に対して車両室外側に向かう付勢力が加わるようにするとともに、前記フロントピラートリムは前記側壁により室内側に押され、前記インストルメントパネルと前記フロントピラートリムの室内側の距離が近づくようにしているので、見切り線においてインストルメントパネルとフロントピラートリムとが密着し、インストルメントパネルとフロントピラートリムの合わせ部に隙間が発生するのを防止することができる。
【００１７】
そして、本発明によれば、前記片部からの付勢力を受ける側壁の車両室外側には、車体のドア開口部のフランジに嵌め込まれたオープニングトリムのリップが配置されているので、片部から車両室外側に向かう付勢力による側壁への影響を、当該リップが撓むことにより吸収することが可能となる。
【００１８】
また、本発明によれば、前記片部は、前記フロントピラートリムの下端部の車両前後方向における後側部位に設けられている。一方、フロントピラートリムの下端部の車両前後方向における後側部位の周辺の見切り線は、特に乗員に近く目立つ部分である。したがって、本発明のようにこの位置に片部を設ければ、車体左右方向の合わせの隙間の形成を回避して、外観向上を図ることができる。
【００２０】
要するに本発明によれば、フロントピラートリムの下端部とインストルメントパネルとの合わせ部の形状を工夫するのみで、格別な部材を追設することなく簡単な組付け手段にて、インストルメントパネルとフロントピラートリムとの合わせ部に発生する隙間の形成を回避でき、これによって外観の向上を可能としたフロントピラートリムとインストルメントパネルとの合わせ部構造が得られる。
【発明を実施するための最良の形態】
【００２１】
以下、本発明を図示の実施の形態に基づいて詳細に説明する。
図１〜図７は本発明の実施形態に係るフロントピラートリムとインストルメントパネルとの合わせ部構造を示すもので、図１は車両の室内の前部座席周辺の斜視図である。
図１に示すように、運転席１００の前方面には、車両幅方向にわたってインストルメントパネル１が配設されており、内装材であるフロントピラートリム２に覆われたフロントピラー（図示省略）が、インストルメントパネル１の左右両側部から天井に向かって立設するように配置されている。
【００２２】
図２はインストルメントパネルの側部とフロントピラートリムとの合わせ部の拡大斜視図である。また、図３はフロントピラートリムのインストルメントパネルとの合わせ部近傍の拡大斜視図、図４はインストルメントパネルのフロントピラートリムとの合わせ部近傍の拡大斜視図である。図５は図２におけるＡ−Ａ矢視図である。
図２に示すように、フロントピラートリム２の下端部２ａはインストルメントパネル１の側面で覆われており、インストルメントパネル１の側端縁とフロントピラートリム２との間に見切り線３が形成されている。インストルメントパネル１の組み付けのバラつきおよび熱収縮等により、インストルメントパネル１の合わせ部が車体内側にずれると、この見切り線３の箇所の隙間が大きくなり、外観上好ましくない状態となる。
【００２３】
本発明は、かかる隙間の形成を回避したフロントピラートリムの下端部とインストルメントパネルとの合わせ部構造に係るものである。
図２および図３に示すように、フロントピラートリム２の下端部２ａには、片部２１が設けられている。一方、インストルメントパネル１側には、図４に示すような、インストルメントパネル１の車幅方向の側面に側壁１ａが設けられている。
上記片部２１は、フロントピラートリム２の下端部２ａの角部に切込みを入れ、先端をカールさせるように室内側へ湾曲させた形状に形成されている。
【００２４】
一般的に、上記フロントピラートリム２は、樹脂材で一体成形により形成されているため、上記片部２１も樹脂材でフロントピラートリム２と一体で形成されている。したがって、樹脂材からなる片部２１により、フロントピラートリム２が容易に撓むことになる。
さらに、図２および図５に示すように、インストルメントパネル１とフロントピラートリム２を取付けた状態において、フロントピラートリム２の片部２１の先端は、インストルメントパネル１の側壁１ａの室内側の面に当接して、車幅方向室外側に付勢するように、図５におけるＬ寸法の干渉量を存して当該側壁１ａに当てるように設定されている。
かかる干渉量Ｌの形成により、片部２１がインストルメントパネル１の側壁１ａの内壁に突っ張ることで、インストルメントパネル１に比べて柔軟な樹脂材のフロントピラートリム２が側壁１ａにより室内側に押されて、インストルメントパネル１とフロントピラートリム２の室内側の距離が近付くようになっている。
これにより、上記見切り線３においてインストルメントパネル１とフロントピラートリム２とが密着し、インストルメントパネル１とフロントピラートリム２の合わせ部に隙間が発生するのを防止することになる。
【００２５】
また、図５に示すように、上記片部２１からの付勢力を受ける側壁１ａの車両室外側には、車体のドア開口部のフランジに嵌め込まれたゴム製のオープニングトリム４のリップ４ａが位置するため、このリップ４ａが撓むことにより、片部２１からの付勢力により側壁１ａが変形して撓む等の影響を吸収できる。
しかも、上記片部２１は、フロントピラートリム２の下端部２ａの車両前後方向の後側部位に設けられているが、この周辺の見切り線３（図２参照）は、特に乗員に近い位置で乗員に目立つ部分であり、この位置に片部２１を設けて、車体左右方向の合わせの隙間を無くすことによって、車室内の外観が向上する。
【００２６】
さらに、かかる見切り線３の箇所は、インストルメントパネル１側の端縁形状の方向が複雑に変化する箇所であるため、型の形成上から、従来技術のようにスリット等の嵌合形状が設けられない場合が多いが、本発明のような構造にすることにより、インストルメントパネル１側に複雑な形状の嵌合部を設けることなく、隙間を解消することができる。
また、上記片部２１の先端の干渉量Ｌ（図５参照）は、型割りラインを変えることなく、コア型の削りで高さを上げることが可能となるため、合わせの調整も容易である。
【００２７】
次に、図６および図７はインストルメントパネルとフロントピラートリムとの合わせ部の模式図である。
前述のように前記片部２１からの付勢力を受ける側壁１ａの車両室外側に位置しているゴム製のオープニングトリム４のリップ４ａが撓むようになっているが、該オープニングトリム４のリップ４ａの反発力が強すぎる場合、フロントピラートリム２はオープニングトリム４のリップ４ａに車体前方向に押されることがある。すると、図７のＸ部において、インストルメントパネル１とフロントピラートリム２の車体前後方向に隙間が発生してしまう。
【００２８】
本発明の実施形態では、以下の手段により、この車体前後方向の隙間の形成を回避可能としている。
すなわち、本発明の実施形態では、図４に示すように、インストルメントパネル１の側部に水平方向に突出する座部１ｂが設けられている。一方、図３に示すように、フロントピラートリム２の下端部２ａには、車幅方向にほぼ平行な当接面２２ａが設けられている。
インストルメントパネル１とフロントピラートリム２を取付けた状態において、図２、図６および図７に示すように、このフロントピラートリム２の下端部２ａに設けた当接面２２ａは、インストルメントパネル１の側部から突出する座部１ｂの車体前後方向後端に形成した座部後端面１ｂ１に当接するように設定されている。
このように構成することにより、インストルメントパネル１に対するフロントピラートリム２の車体前後方向の位置が規制されるため、オープニングトリム４のリップ４ａの反発力によって押されるフロントピラートリム２の車体前方向への動きを止め、図７のＸ部における隙間の発生を防ぐことが可能となる。なお、フロントピラートリム２の下端部２ａに設けた当接面２２ａは、車体の右または左方向（車幅方向）に張り出した形状とすることで、インストルメントパネル１の側部から水平方向に突出している座部１ｂに、確実に当てることができる。
【００２９】
さらに、本発明においては、図３に示すように、フロントピラートリム２の下端部２ａに設けた車幅方向に平行な当接面２２ａの下端から、車体前方側に前下がりとなる傾斜面２２ｂが設けられている。
一方、インストルメントパネル１は、図示しないステアリングメンバーを介して車体に取付けられているが、このステアリングメンバーより車体前後方向の後側にオーディオや計器類などが配置されるため、それらの重さによって、ステアリングメンバーを中心にインストルメントパネル１が図７に示すように矢印Ｙ方向に回転するような方向にずれやすい。このような場合においても、図７のＸ部においてインストルメントパネル１とフロントピラートリム２の車体前後方向に隙間が発生してしまう。
しかるに、本発明の実施形態においては、インストルメントパネル１が車体下方向に下がったとき、前述のような車体前方側に前下がりとなる傾斜面２２ｂが設けられているので、インストルメントパネル１の回転具合に合わせて、当該傾斜面２２ｂのいずれかの範囲を、前記のようなインストルメントパネル１の側部から水平方向に突出する座部１ｂに当接させることができ、これによって、フロントピラートリム２がインストルメントパネル１の回転に連動する形となって、前記Ｘ部における合わせの隙間の発生を防止できる。
【００３０】
また、車幅方向に平行な当接面２２ａ、および車体前方側に前下がりとなる傾斜面２２ｂは、図３に示すように、フロントピラートリム２の下端部２ａにリブ２２を形成し、このリブ２２の車体前後方向後側の縁部に形成されても良い。かかる平行な当接面２２ａおよび傾斜面２２ｂをリブ２２に一体に設けることにより、この部分の強度を保持しつつ、上記２つの面２２ａ，２２ｂをコンパクトに配置することが可能となる。
さらに、図３および図４に示すように、インストルメントパネル１の側部から水平方向に突出する座部１ｂに設けたスリット１ｂ２に差込むリブ２３を上記リブ２２の前方に設け、インストルメントパネル１とフロントピラートリム２の合わせ部の前方側の隙間の発生を防止するようにしても良い。
【００３１】
以上、本発明の実施の形態につき述べたが、本発明は既述の実施の形態に限定されるものではなく、本発明の技術的思想に基づいて各種の変形および変更が可能である。
【図面の簡単な説明】
【００３２】
【図１】本発明の実施形態に係る本発明の実施形態に係るフロントピラートリムとインストルメントパネルとの合わせ部構造を示すもので、車両の前部座席周辺の斜視図である。
【図２】上記実施形態におけるインストルメントパネルの側部とフロントピラートリムとの合わせ部を示す拡大斜視図である。
【図３】上記実施形態におけるフロントピラートリムのインストルメントパネルとの合わせ部近傍を示す拡大斜視図である。
【図４】上記実施形態におけるインストルメントパネルのフロントピラートリムとの合わせ部近傍を示す前方視の拡大斜視図である。
【図５】上記実施形態における図２のＡ−Ａ矢視図である。
【図６】上記実施形態におけるインストルメントパネルとフロントピラートリムとの合わせ部の模式図である。
【図７】上記実施形態におけるインストルメントパネルとフロントピラートリムとの合わせ部の作用を説明する模式図である。
【符号の説明】
【００３３】
１  インストルメントパネル
１ａ  側壁
１ｂ  座部
１ｓ  インストルメントパネルの意匠面
２  フロントピラートリム
２ａ  フロントピラートリムの下端部
３  見切り線
４  オープニングトリム
４ａ  オープニングトリムのリップ
２１  片部
２２  リブ
２２ａ  当接面
２２ｂ  傾斜面
２３  リブ
１００  運転席
【図１】
0004602871.tif 000002
【図２】
0004602871.tif 000003
【図３】
0004602871.tif 000004
【図４】
0004602871.tif 000005
【図５】
0004602871.tif 000006
【図６】
0004602871.tif 000007
【図７】
0004602871.tif 000008